(57)【要約】【課題】製造コストを低減することができると共に、容易に再生紙として再資源化することができ、しかも、クーポン券の使用後においても、その月のカレンダーとして使用することができ、更なる販促を図ることが可能なクーポン券付カレンダーを提供する。【解決手段】一葉の紙片の上部又は側部に、紙片の略３分の１の面積を占めるクーポン券が記載されたクーポン券記載領域を有すると共に、紙片の下部に、紙片の略１０分の１の面積を占める広告情報が記載された広告情報記載領域を有し、紙片のクーポン券記載領域と広告情報記載領域とを除く領域に、カレンダーが記載されたカレンダー記載領域を備え、クーポン券記載領域に、クーポン券を切取り可能としたミシン目が形成されているクーポン券付カレンダーとした。【選択図】図４
0003128624.tif 000002
【実用新案登録請求の範囲】
【請求項１】
一葉の紙片の上部又は側部に、前記紙片の略３分の１の面積を占めるクーポン券が記載されたクーポン券記載領域を有すると共に、
前記紙片の下部に、前記紙片の略１０分の１の面積を占める広告情報が記載された広告情報記載領域を有し、
前記紙片の前記クーポン券記載領域と前記広告情報記載領域とを除く領域に、カレンダーが記載されたカレンダー記載領域を備え、
前記クーポン券記載領域に、クーポン券を切取り可能としたミシン目が形成されていることを特徴とするクーポン券付カレンダー。
【請求項２】
矩形状をした１枚の表紙と、前記表紙と同形状をした１２枚の前記紙片とを有し、
各前記紙片における前記カレンダー記載領域には、各月のカレンダーが記載されて、月順に順次重合され、これら複数枚の重合された前記紙片の最上部に前記表紙を載置して束状としたことを特徴とする請求項１に記載のクーポン券付カレンダー。
【請求項３】
前記束状とした前記表紙と前記紙片とを収納するカレンダーケースを有し、
前記カレンダーケースは、
前記束状とした前記表紙と前記紙片とを下部側から挿入して背面側と下部側から支持すると共に前面側が開放されたケース本体と、
前記ケース本体の一側両端に回動自在に軸支されて、前記ケース本体の開放部分を開閉自在に閉塞する蓋体とを有し、
前記蓋体に、閉塞状態からの回動角度を略３００度に制限するストッパを設け、
このストッパにより回動が制限された状態で前記蓋体を脚部として機能させてカレンダースタンドとなることを特徴とする請求項２に記載のクーポン券付カレンダー。
【考案の詳細な説明】
【技術分野】
【０００１】
本考案は、クーポン券付カレンダーに関するものである。
【背景技術】
【０００２】
従来より、カレンダーの紙面の一部に企業名や連絡先、その企業が提供するサービスの内容等が記載された広告欄を備えたカレンダーが広く知られている。
【０００３】
この種のカレンダーは、消費者の家庭等で使用されることにより、１年間という長期にわたり、その企業の宣伝広告としての機能を果たすことができるため、多くの企業がこの種のカレンダーを販促の一手段として利用している。
【０００４】
近年、この種のカレンダーとして、台紙の片側に、複数枚の薄い紙からなるシートが接着剤により固定されたカレンダーであって、このシート又はシートに覆われていない台紙部分に配達メニュー情報、及び、連絡先情報が、カレンダーが記載されているシートの少なくとも１枚にクーポン情報が形成されたカレンダーが考案されている（たとえば、特許文献１参照。）。
【０００５】
このカレンダーでは、カレンダーの台紙に企業名や連絡先、その企業が提供するサービスの内容等を記載することにより企業の宣伝広告を図ると共に、カレンダーが記載されているシートの少なくとも１枚にクーポン情報を形成することによって、消費者の購買意欲を駆り立て、消費者にこのクーポン情報が形成されているシートを剥離して使用してもらうことによって、更なる販促を図るように構成されていた。
【特許文献１】特開２００５−３１９７１９号公報
【考案の開示】
【考案が解決しようとする課題】
【０００６】
ところが、上記従来のカレンダーは、カレンダー及びクーポン券が記載されている複数枚の各シートを接着剤を用いて台紙に貼着する必要があったため、製造コストを低減することが困難であり、また、各シートに接着剤を塗布していたため、シートとして使用した紙を再生紙として再資源化することが困難であり、地球環境面を考慮すると改良の余地があった。
【０００７】
しかも、クーポン券を使用する場合には、カレンダーが記載されている部分も含めてクーポン券を一枚のシートごと剥離しなければならなかったため、クーポン券の使用後には、その月のカレンダーとして使用することが困難であった。
【０００８】
また、上記特許文献には、クーポン券がカレンダーの記載されているシートの右下隅に形成されている図面が示されているが、通常人間は、列挙されている情報を下から読むことは稀であり、販促の面からも更なる改良が必要であった。
【課題を解決するための手段】
【０００９】
そこで、請求項１に係る本考案では、一葉の紙片の上部又は側部に、紙片の略３分の１の面積を占めるクーポン券が記載されたクーポン券記載領域を有すると共に、紙片の下部に、紙片の略１０分の１の面積を占める広告情報が記載された広告情報記載領域を有し、紙片のクーポン券記載領域と広告情報記載領域とを除く領域に、カレンダーが記載されたカレンダー記載領域を備え、クーポン券記載領域に、クーポン券を切取り可能としたミシン目が形成されているクーポン券付カレンダーを提供することとした。
【００１０】
また、請求項２に係る本考案では、請求項１に記載のクーポン券付カレンダーにおいて、矩形状をした１枚の表紙と、表紙と同形状をした１２枚の紙片とを有し、各紙片におけるカレンダー記載領域には、各月のカレンダーが記載されて、月順に順次重合され、これら複数枚の重合された紙片の最上部に表紙を載置して束状としたことを特徴とする。
【００１１】
また、請求項３に係る本考案では、請求項２に記載のクーポン券付カレンダーにおいて、束状とした表紙と紙片とを収納するカレンダーケースを有し、カレンダーケースは、束状とした表紙と紙片とを下部側から挿入して背面側と下部側から支持すると共に前面側が開放されたケース本体と、ケース本体の一側両端に回動自在に軸支されて、ケース本体の開放部分を開閉自在に閉塞する蓋体とを有し、蓋体に、閉塞状態からの回動角度を略３００度に制限するストッパを設け、このストッパにより回動が制限された状態で蓋体を脚部として機能させてカレンダースタンドとなることを特徴とする。
【考案の効果】
【００１２】
請求項１に係る本考案では、カレンダーとして使用する部分に接着材を使用することがないので、製造コストを低減することができると共に、容易に再生紙として再資源化することができ、クーポン券の使用後においても、その月のカレンダーとして使用することができる。
【００１３】
しかも、視覚的に最も注意を引き付ける紙片の上部又は側部に、紙片全体の略３分の１という広い面積を使ってクーポン券記載領域を設けているため、更なる販促を図ることが可能なクーポン券付カレンダーとすることができる。
【００１４】
請求項２に係る本考案では、一枚の紙片に各月１ヶ月分のカレンダーを記載するように構成することにより、クーポン券付カレンダー全体の大きさをコンパクトにすることができ、しかも、各月毎のカレンダーが記載されている紙片のそれぞれにクーポン券を設けることができるので、より一層販促効果を向上させることができる。
【００１５】
請求項３に係る本考案では、クーポン券付カレンダーがカレンダーケースを備えているため、保管する場合や運搬する場合に整理しやすく、表紙や紙片が変形することを防止することもでき、また、店頭で販売又は無料配布する場合に陳列しやすいといった効果も奏する。さらに、このカレンダーケースは、カレンダースタンドとしても使用することができるので、クーポン券付カレンダーを卓上カレンダーとして使用することもでき、クーポン券付カレンダーの使用形態を多様化することができる。
【考案を実施するための最良の形態】
【００１６】
以下、本考案に係るクーポン券付カレンダーの一実施形態について、図面を参照して具体的に説明する。
【００１７】
ここでは、クーポン券付カレンダーの一例として、当該クーポン券付カレンダーを販売促進（以下、「販促」という。）のための一手段として使用する企業（店舗）が店頭において無料配布する卓上カレンダーに対して本考案を適用した場合について説明するが、本考案は、これに限定するものではなく、企業等の販促の一手段として使用する任意のカレンダーについて適用することができるものであり、店頭において有料で販売するクーポン券付カレンダーや、その他の配布形態をとる他のカレンダーについても適用することができる。
【００１８】
図１は、本実施形態に係るクーポン券付カレンダーを示す斜視図であり、図２は、本実施形態に係るクーポン券付カレンダーが備える表紙及び紙片を示す説明図であり、図３は、クーポン券の使用形態を示す説明図であり、図４は、本実施形態に係るクーポン券付カレンダーを卓上カレンダーとして使用する場合の使用形態を示す説明図であり、図５は、本実施形態に係るクーポン券付カレンダーの変形例を示す説明図である。
【００１９】
図１に示すように、本実施形態に係るクーポン券付カレンダー１は、矩形状をした１枚の表紙２と、この表紙２と同一の矩形状をした１２枚の紙片３と、これら表紙２と紙片３とを収納するカレンダーケース４とを備えている。
【００２０】
各紙片３には、それぞれ各月のカレンダーが記載されており、これら１２枚の紙片３を月順に順次重ね合わせると共に、これら１２枚の重ね合わせた紙片３の最上部に表紙２を載置して束状とし、この束状にした表紙２を下部側からカレンダーケースに挿入して収納することができるように構成している。
【００２１】
このように、本実施形態のクーポン券付カレンダー１では、各月１ヶ月分のカレンダーを記載した１２枚の紙片３と表紙２とを重ね合わせて束状としたことにより、クーポン券付カレンダー全体の大きさをコンパクトにすることができる。
【００２２】
なお、この図１では、表紙２と紙片３に記載している内容を分かりやすくするために、表紙２と１月のカレンダーが記載されている紙片３だけを、その下部が手前側にくるように配置して図示している。
【００２３】
表紙２は、図２（ａ）に示すように、縦略１３５ｍｍ×横略１２０ｍｍの矩形状をした紙により構成しており、その前面（表面）側の中央部に、本実施形態のクーポン券付カレンダー１に収録しているカレンダーの年等を示す情報２ａが記載されており、この表紙２の下部に、当該表紙２の略１０分の１の面積を占める広告情報が記載された広告情報記載領域５が設けられている。
【００２４】
この広告情報記載領域５には、このクーポン券付カレンダー１を販促の一手段として使用する企業の企業（店舗）名と、その連絡先等を示す情報が記載されている。
【００２５】
また、紙片３は、図２（ｂ）に示すように、表紙２と同一形状をした矩形状の紙により構成している。なお、この図２（ｂ）では、１月のカレンダーが記載されている紙片３のみを図示しているが、他の１１枚の紙片３もカレンダーの記載部分以外は、この紙片３と同様の構成をしているため、ここでは、図示を省略する。
【００２６】
特に、この紙片３は、一葉の矩形状の紙の上部に、当該紙片３の略３分の１の面積を占めるクーポン券６ａ、６ａが記載されたクーポン券記載領域６が形成されている。
【００２７】
このクーポン券記載領域６に記載される情報には、このクーポン券付カレンダー１を販促の一手段として使用する企業が提供するサービスや商品の割引率（たとえば、〜料金１０％ＯＦＦ。）等といった情報を記載する。なお、本実施形態では、このクーポン券記載領域６にも広告情報記載領域５に記載したものと同一の広告情報を縮小して記載するようにしている。
【００２８】
また、紙片３の下部には、当該紙片３の略１０分の１の面積を占める広告情報が記載された広告情報記載領域５が形成されている。この広告情報記載領域５に記載されている情報は、図２（ａ）に示す表紙２に記載されているものと同一の情報である。
【００２９】
そして、この紙片３前面におけるクーポン券記載領域６と広告情報記載領域５とを除く当該紙片３の略３分の２を占める領域に、１月のカレンダーが記載されたカレンダー記載領域７が形成されている。
【００３０】
このように、本実施形態のクーポン券付カレンダー１では、カレンダーが記載されている紙片３の中で、視覚的に最も注意を引き付ける紙片３の上部に、当該紙片３全体の略３分の１という比較的広い面積を使ってクーポン券記載領域を設けているため、販促の効果を一層向上させることができる。
【００３１】
しかも、紙片３の中央に、広告情報記載領域５やクーポン券記載領域６が占める面積よりも広い紙片３全体の３分の２を占める領域を使ってカレンダー記載領域７を形成しているため、カレンダー本来の機能を損なうことがないので、無料配布したとしても、このクーポン券付カレンダー１が配布された使用者に無駄に廃棄されるおそれが低い。
【００３２】
また、クーポン券記載領域６には、クーポン券６ａを切り可能とするミシン目８が形成されており、クーポン券６ａを使用する際に、ハサミを用いることなくミシン目８に沿って容易に指先でカレンダー記載領域７から切離すことができるように構成している。
【００３３】
このように紙片３を構成したことによって、このクーポン券６ａを使用する消費者は、図３に示すように、ミシン目８に沿って指先でカレンダー記載領域７及び他のクーポン券６ａから１枚ずつ切離して使用することにより、広告情報記載領域５に記載されている企業が提供するサービスや商品等ついて所定の特典を受けることができ、クーポン券の使用後においても、紙片３をその月のカレンダーとして使用することができるのである。
【００３４】
しかも、紙片３は、接着剤を一切使用せずに形成しており、クーポン券６ａを切離す部分についても当然接着剤を使用していないので、製造コストを低減することができると共に、容易に再生紙として再資源化することができる。
【００３５】
また、このクーポン券付カレンダー１が有するカレンダーケース４は、図１に示したように、束状とした表紙２と１２枚の紙片３とを収納する機能を有する他、図４に示すように、クーポン券付カレンダー１を卓上カレンダーとして使用する際のカレンダースタンドとしての機能も備えている。
【００３６】
すなわち、このカレンダーケース４は、図４に示すように、束状にした表紙２と１２枚の紙片３とを下部側から挿入して背面側と下部側から支持すると共に、前面側の下部を除く部分が開放されたケース本体４ａと、このケース本体４ａにおいて、表紙２及び紙片３の下部側を支持している一側両端に回動自在に軸支されて、ケース本体４ａの開放部分を開閉自在に閉塞する蓋体４ｂとを備えている。
【００３７】
また、ケース本体４ａは、前記蓋体４ｂが軸支されている一側両端間に、本実施形態のクーポン券付カレンダー１を卓上カレンダーとして使用した際に表紙２及び紙片３が前側へ倒れることを防止する前面下部支持体４ｃと、表紙２及び紙片３が左右方向にずれることを防止する両側支持体４ｄとを備えている。
【００３８】
また、蓋体４ｂは、その軸支部に、当該蓋体４ｂの回動範囲を閉塞状態から回動角度が略３００度までに制限するストッパ４ｅが形成されている。
【００３９】
そして、このカレンダーケース４は、蓋体４ｂを回動させてケース本体４ａの前面側を開放状態とし、蓋体４ｂをストッパにより回動が制限されるところ（閉塞状態からの回動角度が略３００度となるところ）まで更に回動させ、蓋体４ｂの内側面を下にして平坦な場所に載置することによって、蓋体４ｂを脚部（座部）として機能させてカレンダースタンドとして機能するように構成している。
【００４０】
このように、本実施形態のクーポン券付カレンダー１は、カレンダーとクーポン券と企業情報とが記載された１２枚の紙片３と表紙２とをコンパクトに収納する機能と、カレンダースタンドとしての機能とを併せ持つカレンダーケース４を備えているため、クーポン券付カレンダー１を保管する場合や運搬する場合に整理しやすく、表紙２や紙片３が変形することを防止することができるだけでなく、店頭で販売又は無料配布する場合に陳列しやすいといった効果も奏する。
【００４１】
そして、カレンダーケース４をカレンダースタンドとして機能させれば、クーポン券付カレンダー１を卓上カレンダーとしても使用することができるので、クーポン券付カレンダーの使用形態を多様化することができる。
【００４２】
また、上記した実施形態では、紙片３の上部に、当該紙片３の略３分の１の面積を占めるクーポン券記載領域６を設けるようにしたが、本考案は、これに限定するものではなく、紙片３において視覚的に注意を引く位置であれば、他の位置に設けてよく、たとえば、クーポン券記載領域６を紙片３の右側部に設けても良い。
【００４３】
ここで、クーポン券付カレンダー１の変形例として、クーポン券記載領域６を紙片３の右側部に設けた場合の実施形態について図５を参照して説明する。なお、図５において、図４に示したクーポン券付カレンダー１と同様の機能を果たす構成要件については、同一の符号を付することにより、その詳細な説明を省略する。
【００４４】
図５に示すように、この変形例に係るクーポン券付カレンダー１ａは、図４に示したクーポン券付カレンダー１と同様に、表紙（図示略）と、１２枚の紙片３と、これら表紙及び紙片３を収納する機能とカレンダースタンドとしての機能とを併せ持つカレンダーケース４とを備えている。
【００４５】
特に、このクーポン券付カレンダー１ａが備える紙片３は、縦略１００ｍｍ×横略１７０ｍｍの横長な矩形状をした紙により構成されており、その右側部分に当該紙片３全体の略３分の１の面積を占めるクーポン券が記載されたクーポン券記載領域６を備えている。
【００４６】
そして、カレンダーケース４は、その構造及び機能に関しては図４に示したカレンダーケース４と同様であるが、サイズだけが異なり、上記横長の紙片３を収納可能な横長な形状に形成している。
【００４７】
このように、クーポン券付カレンダー１ａは、紙片３を横長な矩形状の紙により形成すると共に、この紙片３の右側にクーポン券記載領域６を設け、この横長の紙片３を収納可能に構成したカレンダーケース４を備えているため、クーポン券付カレンダー１ａを卓上カレンダーとして使用した場合に、カレンダースタンドの安定性が向上する。
【００４８】
しかも、人間が一般に記載されている情報を視認する場合には、情報の上側又は横側から読む（認識する）ため、このように紙片３の右側にクーポン券記載領域６を設けても十分に消費者の注意を引くことができる。
【００４９】
また、上記したように、紙片３の右側に設けたクーポン券記載領域６は、図３（ｂ）に示した紙片３と同様に、その紙片３全体の略３分の１の面積を占めているため、この点からも十分に消費者の注意を引くことができ、販促効果が期待できる。
【００５０】
また、上記実施形態では、クーポン券付カレンダー１、１ａが備える各紙片３にクーポン券６ａを２枚ずつ設けるようにしたが、これは単なる一例にすぎず、クーポン券６ａを任意の枚数設けてもよく、こうすることにより、更なる販促効果を期待できる。
【００５１】
また、各紙片３のカレンダー記載領域７には、１ヶ月分のカレンダーを記載するようにしたが、これに関しても単なる一例であって、たとえば、一枚の紙片３のカレンダー記載領域７に複数ヵ月分のカレンダーを記載してもよく、こうすることにより、使用する紙片３の枚数を減少させることができるので、更なる製造コストの低減を図ることができる。
【図面の簡単な説明】
【００５２】
【図１】本実施形態に係るクーポン券付カレンダーを示す斜視図である。
【図２】本実施形態に係るクーポン券付カレンダーが備える表紙及び紙片を示す説明図である。
【図３】クーポン券の使用形態を示す説明図である。
【図４】本実施形態に係るクーポン券付カレンダーを卓上カレンダーとして使用する場合の使用形態を示す説明図である。
【図５】本実施形態に係るクーポン券付カレンダーの変形例を示す説明図である。
【符号の説明】
【００５３】
１、１ａ  クーポン券付カレンダー
２  表紙
３  紙片
４  カレンダーケース
４ａ  ケース本体
４ｂ  蓋体
４ｃ  前面下部支持体
４ｄ  側支持体
４ｅ  ストッパ
５  広告情報記載領域
６  クーポン券記載領域
６ａ  クーポン券
７  カレンダー記載領域
８  ミシン目
【図１】
0003128624.tif 000003
【図２】
0003128624.tif 000004
【図３】
0003128624.tif 000005
【図４】
0003128624.tif 000006
【図５】
0003128624.tif 000007